(57)【要約】      （修正有）【課題】土砂により汚濁された排水や、土木工事に伴って発生する汚濁水のような、粒状物と水又は油のような液状体との混合物の沈降処理過程において、粒状物を沈降させた後の上澄液を清澄の状態で回収する装置を提供する。【解決手段】沈殿槽１の上澄液２を回収するための、材質が布、又は多孔質の樹脂あるいは金属よりなる透液体性を有した材料により作られた排液管８と、この排液管上部に取り付けられて、上澄液表面よりわずかに没入させた位置に配置された漏と状の集液ノズル４とを備えている。【選択図】図１
0003133995.tif 000002
【実用新案登録請求の範囲】
【請求項１】
沈殿槽の上澄液を回収するための、材質が布、又は多孔質の樹脂あるいは金属よりなる透液体性を有した材料により作られた排液管と、この排液管上部に取り付けられて、上澄液表面よりわずかに没入させた位置に配置された漏と状の集液ノズルとを備えていることを特徴とする沈殿槽上澄液回収装置。
【請求項２】
漏と状の集液ノズルを、常時上澄液面よりわずかに没入させた位置に保持させると同時に、透液体性排液管を液面変動に追随して伸縮させる駆動機構を備えた請求項１記載の沈殿槽上澄液回収装置。
【考案の詳細な説明】
【技術分野】
【０００１】  本考案は、例えば土砂により汚濁された排水や、土木工事に伴って発生する汚濁水のような、粒状物と水又は油のような液状体との混合物の沈降処理過程において、粒状物を沈降させた後の上澄液回収装置の技術に関する。
【背景技術】
【０００２】  一般的に、土木工事等で発生する汚濁水を処理して上澄水を回収する場合には、沈降槽の下部から処理すべき汚濁水を入れて槽内に上昇流を作り、粉粒体を沈降させながら上澄水は槽上部から槽外に溢れさせる連続処理法や、沈降槽上部から、水中ポンプまたは真空ポンプにとりつけた吸い込み管を投入して排水する簡易な方法がある。【０００３】  また、下水処理場等においては取水口に空気等の気体を封入したフロートを取り付けて水面に浮かせることにより、常に水面から定量性を保持しながら取水を行なう方法がある（特許文献１）。この場合取水した上澄水を、この取水口と沈降槽下部とを透水性を有しない排水管で接続し、槽外に排水する方法や、取水口に水中ポンプを設置して排水する方法、または真空を利用した吸い取り装置により排水する方法などが提案されている。
【特許文献１】  特開平１１−２２６３０９号公報
【０００４】  しかしながら、水中ポンプまたは真空ポンプで抜き取る場合は、その周囲の液体が、液体流で掻き乱され、沈降した粉粒体がまき上がり、回収しようとする上澄液に混入しやすい。特に、上澄液と沈澱した懸濁物質との境界面においては、清澄な上澄液の回収が困難であり、効率性に欠ける。【０００５】  また、ポンプ運転およびその昇降装置に動力を要するため経済性にも欠ける。フロート等を利用して、取水口と液面との位置関係を保持しながら定量的に取水する装置においては装置の制御が複雑になりやすく、軽便性に欠ける。【０００６】  特に、土木工事現場においては、装置の使用が工事期間内に限られ、工事の開始・終了に伴い、組み立て・解体の作業が伴うため、装置の軽便性が要求される。【０００７】  また、沈降分離によって分離されたスラリーは産業廃棄物になることが多いため、効率よくスラリーを回収することはその減容化につながり処理費の節約になる。またこのスラリーはフィルタープレス等で脱水処理する場合も多く、このときスラリーを効率よく濃縮すれば脱水時間が短縮され、機械効率が上がり、機械を小型化できて経済的である。
【考案の開示】
【考案が解決しようとする課題】
【０００８】  本考案は、前述した事情に鑑みてなされたもので、上澄液を集液ノズルから自然圧を利用することによって、液面を乱すことなく回収するとともに、沈殿槽下部に固定された排液口に結合された、透液体性を有する排液管においても清澄液を取り込むことでより効率的に回収できる簡便な沈殿槽上澄液回収装置を提供することを目的としている。
【課題を解決するための手段】
【０００９】  上記の目的を達成するため、本考案に係る沈殿槽上澄液回収装置は、沈殿槽上部に取り付けられた昇降装置により、金属・樹脂・布等で製作された覆いを取り付けた集液ノズルを液面上に移動させた後、上澄液が徐々に引き抜かれるにしたがって液面が下降することに合わせて、集液ノズルを下降させると同時に排液管表面においても清澄液を取り込むことにより、清澄液の回収を効率よく行なえる事を特徴としている。【００１０】  本考案の沈殿槽上澄液回収装置においては、集液ノズルと沈殿槽下部に固定された上澄液排出口の間は、伸縮可能でかつ透液体性のある布、または多孔質の樹脂・金属またはこれらを組合せて作成された管で接続されている。この伸縮管は、伸縮することに伴い、折れ曲がって排液に支障をきたすことがないように管の中間部に一定間隔で直径の大きいリングと小さいリングを交互に取り付け、さらに、小さいリングの内側に、装置に固定されたガイドによって水平方向に拘束された状態で伸縮するように構成されている。
【考案の効果】
【００１１】  本考案によれば、伸縮管に透液体性を持たせたことにより、集液ノズルによる液表面での集液と、伸縮管表面からの集液を同時に行なうことによって、集液時間の短縮が可能となり、上澄液の採取は、液表面における大気圧を利用することと、液中にある伸縮管部表面においては液圧を利用するのみであり、駆動部分としては集液ノズルの昇降に使用する電動機が必要なだけであって、水中ポンプまたは真空ポンプを使用する場合と比較すると大幅に消費電力の低減を図ることができる。【００１２】  また、集液ノズルの移動速度は非常に遅くすることが可能であり、そのためスラリー境界面を乱すことがなく、清澄な上澄液を採取することができるとともに、装置を構成する部品が少なく、安価に作成することが出来る。
【考案を実施するための最良の形態】
【００１３】  本考案を図面によって具体的に説明する。図１は本考案の主要部を概略的に示す展開図である。
沈殿槽１内に水または油等の液体と、泥・砂等の粉粒体の混合物を投入して、ある一定時間静置した場合、図１に示すようにその液体２と、液体・粉粒体の混合したスラリー３が、液中において分離することは知られている。【００１４】  透液体性を有する排液管８上部に取り付けた上澄液集液ノズル４は、昇降用モーター５の出力軸とチェーンまたはワイヤー６で連結され、モーター５の出力軸が回転することにより、上下に一定範囲で自由に移動する。
スラリー３と上澄液２が分離したのち、上澄液表面に集液ノズル４を移動させて液回収を始める。液回収により下降する液面に追従して集液ノズル４を下降させる。【００１５】  集液ノズル４がスラリー３境界面近傍に達したとき、昇降用モーター５の回転を止めることにより、集液ノズル４を停止させる。その後昇降用モーター５を逆転させることにより、集液ノズル４を上昇させて元の位置に戻す。なお、集液ノズル４は沈殿槽１本体に固定された上澄液排出口７に、前述の透液体性を有する排液管８を介して接続されており、集液された上澄液はこの排液管を通って槽外へ排出される。【００１６】  この一連の作業は、作業員が上澄液の状態を目視確認しながら行なうが、公知の液面検知器およびスラリー境界面検知器を取り付け、自動制御装置を利用して昇降用モーターを正転・停止または逆転させることにより、集液ノズルを下降・停止または上昇させることが出来る。なお、スラリー境界面検知器の取り付け場所は任意である。
【産業上の利用可能性】
【００１７】  以上説明したように、本考案は、土木工事に伴って発生する汚濁水の処理に好適であるが、その他、砂利、砂、鉱石、産業廃棄物、工業原料などて使用する沈降装置にも適用可能である。
【図面の簡単な説明】
【００１８】
【図１】  本考案の主要部を概略的に示す断面図である。
【符号の説明】
【００１９】  １    沈殿槽
２    上澄液
３    スラリー
４    集液ノズル
５    昇降用モーター
６    チェーンまたはワイヤー
７    上澄液排出口
８    排液管
【図１】
0003133995.tif 000003